【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
医療デバイスであって、
ａ）  疾患マーカである生物学的検体と相互作用することができる生物活性因子を含むマイクロアレイと、
ｂ）  少なくとも１つの治療薬を含み、かつ該医療デバイスから該少なくとも１つの治療薬を放出することができる少なくとも１つのリザーバと、
ｃ）  複数のマイクロチップであって、
ｉ）  該疾患マーカである生物学的検体と該生物活性因子との間の相互作用の物理的パラメータデータを取得することができるマイクロアレイ走査デバイスと、
ｉｉ）  該物理的パラメータデータを検体の相互作用プロファイルと比較することができる生体測定認識デバイスと、
ｉｉｉ）  該リザーバからの該治療薬の放出を制御することができる治療薬放出デバイスと、
ｉｖ）  該マイクロアレイ走査デバイス、該生体測定認識デバイスおよび該治療薬放出デバイス間の連絡を促進することができるインターフェースデバイスと、
を備える複数のマイクロチップと、
ｄ）  前記医療デバイスに動力を供給するためのエネルギー源と、
を備える、医療デバイス。
【請求項２】
前記デバイスは、生体適合性ポリマーで被覆されている、請求項１に記載の医療デバイス。
【請求項３】
前記ポリマーは、チャネルを有する、請求項１に記載の医療デバイス。
【請求項４】
前記ポリマーは、多孔質である、請求項１に記載の医療デバイス。
【請求項５】
前記マイクロアレイは、マイクロビーズを備える、請求項１に記載の医療デバイス。
【請求項６】
前記生物活性因子は、核酸である、請求項１に記載の医療デバイス。
【請求項７】
前記生物活性因子は、ポリペプチドである、請求項１に記載の医療デバイス。
【請求項８】
前記生物活性因子は、免疫グロブリンである、請求項７に記載の医療デバイス。
【請求項９】
前記生物活性因子は、蛍光標識されている、請求項１に記載の医療デバイス。
【請求項１０】
前記生物活性因子は、ナノ結晶で蛍光標識されている、請求項１に記載の医療デバイス。
【請求項１１】
前記疾患マーカである生物学的検体は、核酸である、請求項１に記載の医療デバイス。
【請求項１２】
前記疾患マーカである生物学的検体は、ポリペプチドである、請求項１に記載の医療デバイス。
【請求項１３】
前記疾患マーカである生物学的検体は、免疫グロブリンである、請求項１２に記載の医療デバイス。
【請求項１４】
前記複数のマイクロチップは、シリコンゲルマニウムを含む、請求項１に記載の医療デバイス。
【請求項１５】
前記マイクロアレイ走査デバイスは、光ファイバ素子を備える、請求項１に記載の医療デバイス。
【請求項１６】
前記検体の相互作用プロファイルは、前記生体測定認識デバイス内に格納される、請求項１に記載の医療デバイス。
【請求項１７】
前記検体の相互作用プロファイルは、前記医療デバイスの外部に格納される、請求項１に記載の医療デバイス。
【請求項１８】
複数のリザーバを有する、請求項１に記載の医療デバイス。
【請求項１９】
前記インターフェースデバイスは、パーソナルエリアネットワークを備える、請求項１に記載の医療デバイス。
【請求項２０】
エネルギー源は、電池である、請求項１に記載の医療デバイス。
【請求項２１】
エネルギー源は、パーソナルエリアネットワークによって提供される、請求項１に記載の医療デバイス。
【請求項２２】
患者における疾患を検出および治療するための医療デバイスであって、該デバイスは、
ａ）  疾患マーカである生物学的検体と相互作用することができる生物活性因子を含むマイクロアレイと、
ｂ）  少なくとも１つの治療薬を含み、かつ該医療デバイスから該少なくとも１つの治療薬を放出することができる少なくとも１つのリザーバと、
ｃ）  複数のマイクロチップであって、
ｉ）  該疾患マーカである生物学的検体と該生物活性因子との間の相互作用の物理的パラメータデータを取得することができるマイクロアレイ走査デバイスと、
ｉｉ）  該物理的パラメータデータを検体の相互作用プロファイルと比較することができる生体測定認識デバイスと、
ｉｉｉ）  該リザーバからの該治療薬の放出を制御することができる治療薬放出デバイスと、
ｉｖ）  該マイクロアレイ走査デバイス、該生体測定認識デバイスおよび該治療薬放出デバイス間の連絡を促進することができるインターフェースデバイスと、
を含む複数のマイクロチップと、
ｄ）  該医療デバイスに動力を供給するためのエネルギー源と、
を備え、
ここで、該医療デバイスは、投与され、そして該医療デバイスは、該患者から除去されるか、または該医療デバイスは該患者を通過させられる、
医療デバイス。
【請求項２３】
前記デバイスは、該デバイスが腸管を通過することを可能にする生体適合性のポリマーで被覆されている。請求項２２に記載の医療デバイス。
【請求項２４】
前記ポリマーは、チャネルを有する、請求項２２に記載の医療デバイス。
【請求項２５】
前記ポリマーは、多孔質である、請求項２２に記載の医療デバイス。
【請求項２６】
前記マイクロアレイは、マイクロビーズを備える、請求項２２に記載の医療デバイス。
【請求項２７】
前記生物活性因子は、核酸である、請求項２２に記載の医療デバイス。
【請求項２８】
前記生物活性因子は、ポリペプチドである、請求項２２に記載の医療デバイス。
【請求項２９】
前記生物活性因子は、免疫グロブリンである、請求項２８に記載の医療デバイス。
【請求項３０】
前記生物活性因子は、蛍光標識されている、請求項２２に記載の医療デバイス。
【請求項３１】
前記生物活性因子は、ナノ結晶で蛍光標識されている、請求項２２に記載の医療デバイス。
【請求項３２】
前記疾患マーカ生物学的検体は、核酸である、請求項２２に記載の医療デバイス。
【請求項３３】
前記疾患マーカ生物学的検体は、ポリペプチドである、請求項２２に記載の医療デバイス。
【請求項３４】
前記疾患マーカ生物学的検体は、免疫グロブリンである、請求項３３に記載の医療デバイス。
【請求項３５】
前記複数のマイクロチップは、シリコンゲルマニウムを含む、請求項２２に記載の医療デバイス。
【請求項３６】
前記マイクロアレイ走査デバイスは、光ファイバ素子を備える、請求項２２に記載の医療デバイス。
【請求項３７】
前記検体の相互作用プロファイルは、前記生体測定認識デバイス内に格納される、請求項２２に記載の医療デバイス。
【請求項３８】
前記検体の相互作用プロファイルは、前記医療デバイスの外部に格納される、請求項２２に記載の医療デバイス。
【請求項３９】
複数のリザーバを有する、請求項２２に記載の医療デバイス。
【請求項４０】
前記インターフェースデバイスは、パーソナルエリアネットワークを備える、請求項２２に記載の医療デバイス。
【請求項４１】
エネルギー源は、電池である、請求項２２に記載の医療デバイス。
【請求項４２】
エネルギー源は、パーソナルエリアネットワークによって提供される、請求項２２に記載の医療デバイス。
【請求項４３】
前記連絡は、外部コンピュータによって監視される、請求項２２に記載の医療デバイス。
【請求項４４】
前記外部コンピュータは、前記治療薬の放出を指示する、請求項４３に記載の医療デバイス。
【請求項４５】
浸透圧ポンプをさらに備える、請求項１に記載の医療デバイス。
【請求項４６】
加圧マイクロ流体チャネルをさらに備える、請求項１に記載の医療デバイス。
【請求項４７】
体液の流れを方向付けるパーソナルエリアネットワーク送信機をさらに備える、請求項１に記載の医療デバイス。
【請求項４８】
体液中の検体を検出することができる医療デバイスであって、
Ａ）  体液の試料を採取することができる少なくとも１本のマイクロニードルと、
Ｂ）  該少なくとも１本のマイクロニードルと流体連絡する、該試料が貫流する第１のマイクロチャネルと、
Ｃ）  該第１のマイクロチャネルと流体連絡し、緩衝剤が通って流れる第２のマイクロチャネルであって、少なくとも１つの生物活性因子を有するマイクロアレイをさらに備える、第２のマイクロチャネルと、
Ｄ）  生物活性因子と該体液中の検体との間の相互作用を検出するためのマイクロアレイ走査デバイスと、
Ｅ）  該マイクロアレイ走査デバイスと生体測定認識デバイスとの間の連絡を促進することができるインターフェースデバイスと、
を備える医療デバイス。
【請求項４９】
前記体液は、血液である、請求項４８に記載の医療デバイス。
【請求項５０】
前記少なくとも１本のマイクロニードルは、複数のマイクロニードルである、請求項４８に記載の医療デバイス。
【請求項５１】
前記マイクロニードルは、直径が約１０ミクロンと約２００ミクロンとの間である、請求項４８に記載の医療デバイス。
【請求項５２】
前記マイクロニードルは、約１００マイクロリットルの血液を引くことができる、請求項４８に記載の医療デバイス。
【請求項５３】
前記第１のマイクロチャネルは、直径が約１００マイクロメートルである、請求項４８に記載の医療デバイス。
【請求項５４】
前記第２のマイクロチャネルは、直径が約１００マイクロメートルである、請求項４８に記載の医療デバイス。
【請求項５５】
前記第１のマイクロチャネルを通って流れる前記体液中の前記検体が、前記第２のマイクロチャネル内に拡散し、かつ前記生物活性因子と相互に作用する、請求項４８に記載の医療デバイス。
【請求項５６】
前記第１のマイクロチャネルを通って流れる前記体液中の前記検体は、前記第２のマイクロチャネル内に拡散し、標識検体を、前記生物活性因子に結合している状態から競合的に置き換える、請求項５５に記載の医療デバイス。
【請求項５７】
前記標識検体は、所定量で提供される、請求項５６に記載の医療デバイス。
【請求項５８】
前記標識検体は、蛍光部分で標識されている、請求項５６に記載の医療デバイス。
【請求項５９】
前記マイクロアレイは、前記体液中の前記検体を特異的に結合する抗体の被覆を有する第２のマイクロチャネルの一部分である、請求項４８に記載の医療デバイス。
【請求項６０】
前記マイクロアレイ走査デバイスは、全内部反射蛍光（ＴＩＲＦ）分光計を備える、請求項４８に記載の医療デバイス。
【請求項６１】
前記生体測定認識デバイスは、前記デバイスの外部に配置され、かつ前記連絡は、無線伝送による、請求項４８に記載の医療デバイス。
【請求項６２】
前記検体は、インスリンであり、かつ前記生物活性因子は、インスリンに対して特異的な抗体である、請求項４８に記載の医療デバイス。
【請求項６３】
前記検体は、グルコースであり、かつ前記生物活性因子は、グルコースに対して特異的な抗体である、請求項４８に記載の医療デバイス。
【請求項６４】
前記デバイスは、パッチとして皮膚上に装着される、請求項４８に記載の医療デバイス。
【請求項６５】
前記検体は、疾患を示す、請求項４８に記載の医療デバイス。
【請求項６６】
請求項４８に記載の医療デバイスであって、さらに、
Ｆ）  中に治療薬を有するリザーバと、
Ｇ）  前記生体測定認識デバイスからの指示に応答して、リザーバからの治療薬の放出を制御することができる治療薬放出デバイス
とを備える、医療デバイス。
【請求項６７】
前記検体は、グルコースであり、かつ前記治療薬は、インスリンである、請求項６６に記載の医療デバイス。
【請求項６８】
前記検体は、前記治療薬と同一である、請求項６６に記載の医療デバイス。
【請求項６９】
前記検体は、前記治療薬の代謝産物である、請求項６６に記載の医療デバイス。
【請求項７０】
請求項４８に記載の医療デバイスであって、ここで、少なくとも１つの使い捨てアッセイデバイスは、前記少なくとも１本のマイクロニードルと、前記第１のマイクロチャネルと、前記第２のマイクロチャネルとを備え、かつ非使い捨てアッセイ読み取りデバイスは、前記マイクロアレイ走査デバイス、前記インターフェースデバイスを備える、医療デバイス。
【請求項７１】
前記アッセイデバイスとアッセイ読み取りデバイスとは、互いに光連絡している、請求項７０に記載の医療デバイス。
【請求項７２】
単一のアッセイ読み取りデバイス内にはめ込まれた複数の使い捨てアッセイデバイスが存在する、請求項７０に記載の医療デバイス。
【請求項７３】
前記マイクロアレイは、前記生物活性因子で機能化された単一のガラス光ファイバの、１つのクラッディングされていない部分を含み、該単一のガラス光ファイバのクラッディングされていない部分は、前記第２のマイクロチャネルと流体接触している、請求項４８に記載の医療デバイス。
【請求項７４】
前記マイクロアレイは、前記生物活性因子で機能化された単一のガラス光ファイバの、複数のクラッディングされていない部分を含み、該単一のガラス光ファイバのクラッディングされていない部分は、前記第２のマイクロチャネルと流体接触している、請求項４８に記載の医療デバイス。